(57)【要約】      （修正有）【課題】物品に添付されたＩＤタグの不正な張り替え、および物品の交雑を防止する手段を提供する。【解決手段】物品を一つ以上のロットとして流通させる上で、物品にＩＤタグを貼付する際に、予めサーバに、物品に貼付したＩＤタグと異なるＩＤあるいはＩＤ体系を有する検知用ＩＤタグのＩＤと物品に貼付したＩＤタグとの関連付け情報を格納し、検知用ＩＤタグを物品に潜ませ、物品に貼付したＩＤタグを流通過程で、端末に読取らせる際に、検知用ＩＤタグのＩＤ情報をサーバ側に送信し、貼替えが行なわれた場合、あるいは正規な関連付けでない場合、不正データとしてサーバ側にアラームを発生するデータベースを具備する。【選択図】図１
2005010865.tif 000002
【特許請求の範囲】
【請求項１】
物品を一つ以上のロットとして流通させる上で、物品にＩＤタグを貼付する際に、予めサーバに、物品に貼付したＩＤタグと異なるＩＤ或いはＩＤ体系を有する検知用ＩＤタグのＩＤと貼付したＩＤタグとの関連付け情報をサーバ側に格納し、当該検知用ＩＤタグを当該物品に潜ませ、前記貼付ＩＤタグを流通過程で、端末に読取られる際に、検知用ＩＤタグのＩＤともにサーバ側に送信し、貼替えが行なわれた場合、正規な関連付けでない場合、不正データとしてサーバ側にアラームを発生することを特徴とするデータベース。
【請求項２】
物品を一つ以上のロットとして流通させる上で、物品にＩＤタグを貼付する際に、予めサーバに、物品に貼付したＩＤタグと異なるＩＤ或いはＩＤ体系を有する検知用ＩＤタグのＩＤと貼付したＩＤタグとの関連付け情報をサーバ側に格納し、当該検知用ＩＤタグを当該物品に潜ませ、前記貼付ＩＤタグを流通過程で、端末に読取られる際に、検知用ＩＤタグのＩＤともにサーバ側に送信し、貼替えが行なわれた場合、正規な関連付けでない場合、不正データとしてサーバ側にアラームを発生することを特徴とするシステム。
【請求項３】
物品を一つ以上のロットとして流通させる上で、物品にＩＤタグを貼付する際に、予めサーバに、物品に貼付したＩＤタグと異なるＩＤ或いはＩＤ体系を有する検知用ＩＤタグのＩＤと貼付したＩＤタグとの関連付け情報をサーバ側に格納し、当該検知用ＩＤタグを当該物品に潜ませ、前記貼付ＩＤタグを流通過程で、端末に読取られる際に、検知用ＩＤタグのＩＤともにサーバ側に送信し、貼替えが行なわれた場合、正規な関連付けでない場合、不正データとしてサーバ側にアラームを発生させるための画面を表示させることを特徴とするシステム。
【請求項４】
複数のロットの物品が流通される場合に、前記ＩＤタグ間の関連付けとともに、ロット数などのロット属性情報と、一意的なロットナンバーをサーバに格納し、各ロット内での上記関連付けの分配情報をサーバに記述し、端末で読取り時に、他のロットとの交雑などの衝突があった場合に、アラームを発生することを特徴とする請求項１記載のデータベース。
【請求項５】
複数のロットの物品が流通される場合に、前記ＩＤタグ間の関連付けとともに、ロット数などのロット属性情報と、一意的なロットナンバーをサーバに格納し、各ロット内での上記関連付けの分配情報をサーバに記述し、端末で読取り時に、他のロットとの交雑などの衝突があった場合に、アラームを発生することを特徴とする請求項２または３に記載のシステム。
【請求項６】
複数のロットの物品が流通される場合に、前記ＩＤタグ間の関連付けとともに、ロット数などのロット属性情報と、一意的なロットナンバーを格納し、各ロット内での上記関連付けの分配情報をサーバに記述し、端末で読取り時に、他のロットとの交雑などの衝突があった場合に、アラームを発生させるための画面を表示させることを特徴とする請求項２，３，５のいずれかに記載のシステム。
【請求項７】
前記ＩＤタグ内に演算機能を有するＩＤタグでは、貼付ＩＤタグと封入ＩＤタグの関係を少なくともどちらか一つのＣＰＵには認識させ、前記サーバの役割を前記読取り端末に簡易的に負わせる手段を備えることを特徴とする請求項２、３、５、６のいずれかに記載のシステム。
【発明の詳細な説明】
【０００１】
【発明の属する技術分野】
本発明は、物品ＩＤタグ貼替え及び物品交雑を防止するためのデータベース、及びシステムに関する。
【０００２】
【従来の技術】
一般に、経済活動においては、農産物、水産物、これらの加工品、工業製品等の供給者（以下、「生産業者」という。）と、このような物品を仕入れて販売する販売業者又は物品を購入する消費者との間に、物品の適切な仕分け、輸送、保管等に携わる流通業者が介在する。近年、市場に出回る物品の多様性に応じて、この物品に係る物流の専門性が高まっている。例えば、食品を冷凍状態で陸上運輸、空中輸送、一時保管等する場合、この食品は、冷凍コンテナ業者、トラック業者、冷凍庫を所有する倉庫業者といった、それぞれの業務に専門性を有する複数の流通業者の手を経る可能性がある。物品が生産業者から販売業者又は消費者に届くまでに、多くの流通業者の手を経ることが少なくない。
【０００３】
販売業者や消費者にとって、手元に届けられた物品が、彼等の知る生産業者から然るべき流通業者の手を経て供給されたものであるか否かを、物品毎に実際に追跡して確認することは困難であり、現実的ではない。
【０００４】
流通業者の誤配や未納品といったミスを効率的に発見することに関しては、物品に電子タグを貼付して、これに物流情報を記録するシステムが開示されている（例えば、特許文献１参照。）。この開示によれば、物流における上流側事業者が物品情報を記録したタグを貼付した物品を出荷し、下流側事業者がこれを受領する。この時、下流側事業者は、タグの情報を確認後に、受領サインとしての識別コード等をタグに書き込んで、このタグのみを上流側事業者に回送する。これによって、物品が、物流の上流から下流に流れたことが確認できるが、このような確認は、やはり、物品の出荷者と受領者とが二重チェックする手間及び相互の信頼関係によって可能となっている。
【０００５】
一方、市場経済における昨今の規制緩和傾向によって、様々な新規参入の流通業者が物流を仲介し得る傾向にあり、これにともなって流通業界におけるコスト削減競争も激化する傾向にある。従って、過去の物流実績に裏打ちされた信頼関係のみに基づくのではなく、設定コスト及び物流の内容に基づいて、様々な流通業者がその都度選定される気運が高まっている。一般に、商品識別子の貼替え防止には、商品識別子に一意的で書換不能なＩＤ（例えばＵＲＬ）を振ってこれを抑制しても、同様なロットの商品間では完全な貼替えを防げるわけではなく、これを防ぐ方策としては当該識別子側或いは接着側或いは包装に、破損が生じるという物理的技術しかなかった。
【０００６】
この方法では、大量の物品を扱う物流上では、ＩＤの物理破損によるデータの読み込みエラーを検知が可能なだけで、貼替えそのものを検知するものではなく、またエラー検知以降のデータ処理が、ＩＤが破損のために不能になる。故に、貼替えを抑止するとは言いがたい。
【０００７】
【特許文献１】
特開２００２−８７５３２号公報
【０００８】
【発明が解決しようとする課題】
半導体などのＩＤタグを物品の属性データと関連付けるために物品に貼付し管理しても、ＩＤタグの貼替えや、同様な物品との交雑などという行為を抑止する必要があり、多数の仲介者や、経路を経る、実際の物流において大量なＩＤを認識する際には、電子的技術が必要である。
【０００９】
すなわち、半導体などのＩＤタグを物品の属性データと関連付けるために物品に貼付し管理しても、ＩＤタグの貼替えや、同様な物品との交雑などという行為を抑止する必要があるが、既知の技術では、貼替えようとする場合に、タグが破損するようにするなど物理的処理のみで、多数の仲介者を経る実際の物流において大量なタグを利用する場合には、解析的処理が求められる。
【００１０】
【課題を解決するための手段】
前記課題を解決するため、物品を一つ以上のロットとして流通させる上で、物品にＩＤタグを貼付する際に、予めサーバに、物品に貼付したＩＤタグと異なるＩＤ或いはＩＤ体系を有する検知用ＩＤタグのＩＤと貼付したＩＤタグとの関連付け情報をサーバ側に格納し、当該検知用ＩＤタグを当該物品に潜ませ、前記貼付ＩＤタグを流通過程で、端末に読取られる際に、検知用ＩＤタグのＩＤともにサーバ側に送信し、貼替えが行なわれた場合、正規な関連付けでない場合、不正データとしてサーバ側にアラームを発生するデータベースを提供する。
【００１１】
また、物品を一つ以上のロットとして流通させる上で、物品にＩＤタグを貼付する際に、予めサーバに、物品に貼付したＩＤタグと異なるＩＤ或いはＩＤ体系を有する検知用ＩＤタグのＩＤと貼付したＩＤタグとの関連付け情報をサーバ側に格納し、当該検知用ＩＤタグを当該物品に潜ませ、前記貼付ＩＤタグを流通過程で、端末に読取られる際に、検知用ＩＤタグのＩＤともにサーバ側に送信し、貼替えが行なわれた場合、正規な関連付けでない場合、不正データとしてサーバ側にアラームを発生するシステムを提供する。
【００１２】
さらに、物品を一つ以上のロットとして流通させる上で、物品にＩＤタグを貼付する際に、予めサーバに、物品に貼付したＩＤタグと異なるＩＤ或いはＩＤ体系を有する検知用ＩＤタグのＩＤと貼付したＩＤタグとの関連付け情報をサーバ側に格納し、当該検知用ＩＤタグを当該物品に潜ませ、前記貼付ＩＤタグを流通過程で、端末に読取られる際に、検知用ＩＤタグのＩＤともにサーバ側に送信し、貼替えが行なわれた場合、正規な関連付けでない場合、不正データとしてサーバ側にアラームを発生させるための画面を表示させるシステムを提供する。
【００１３】
さらにまた、複数のロットの物品が流通される場合に、前記ＩＤタグ間の関連付けとともに、ロット数などのロット属性情報と、一意的なロットナンバーをサーバに格納し、各ロット内での上記関連付けの分配情報をサーバに記述し、端末で読取り時に、他のロットとの交雑などの衝突があった場合に、アラームを発生するデータベースを提供する。
【００１４】
また、複数のロットの物品が流通される場合に、前記ＩＤタグ間の関連付けとともに、ロット数などのロット属性情報と、一意的なロットナンバーをサーバに格納し、各ロット内での上記関連付けの分配情報をサーバに記述し、端末で読取り時に、他のロットとの交雑などの衝突があった場合に、アラームを発生するシステムを提供する。
【００１５】
複数のロットの物品が流通される場合に、前記ＩＤタグ間の関連付けとともに、ロット数などのロット属性情報と、一意的なロットナンバーを格納し、各ロット内での上記関連付けの分配情報をサーバに記述し、端末で読取り時に、他のロットとの交雑などの衝突があった場合に、アラームを発生させるための画面を表示させるシステムを提供する。
【００１６】
前記ＩＤタグ内に演算機能を有するＩＤタグでは、貼付ＩＤタグと封入ＩＤタグの関係を少なくともどちらか一つのＣＰＵには認識させ、前記サーバの役割を前記読取り端末に簡易的に負わせる手段を備えるシステムを提供する。
【００１７】
【発明の実施の形態】
物品を一つ以上のロットとして流通させる上で、物品にＩＤタグを貼付する際に、予めサーバに、物品に貼付したＩＤタグと異なるＩＤ或いはＩＤ体系を有する検知用ＩＤタグのＩＤと貼付したＩＤタグとの関連付け情報をサーバ側に格納する。当該検知用ＩＤタグを当該物品に潜ませ、前記貼付ＩＤタグを流通過程で、端末に読取られる際に、検知用ＩＤタグのＩＤともにサーバ側に送信する。貼替えが行なわれた場合、正規な関連付けでない場合、不正データとしてサーバ側にアラームを発生する。複数のロットの物品が流通される場合に、前記ＩＤタグ間の関連付けとともに、ロット数などのロット属性情報と、一意的なロットナンバーをサーバに格納する。
【００１８】
各ロット内での上記関連付けの分配情報をサーバに記述する。端末でＩＤタグを読取り時に、他のロットとの交雑などの衝突があった場合に、アラームを発生する。
【００１９】
【発明の効果】
大量且つ複雑な経路のＩＤタグの流通に対しても、ＩＤタグとサーバ或い組み込みＣＰＵとの論理処理により、簡易且つ高速な処理で、貼替えを検知し、貼替えを抑止する。
【図面の簡単な説明】
【図１】システムの概要図である。
【図２】システムの張替え識別フローダイアグラムに関する図である。
【図３】システムのグループ間交雑識別フローダイアグラムに関する図である。
【図４】図２及び図３に対する情報表示画面の例を示す模式図である。
【図５】図２及び図３に対するデータベース内のデータモデルを示す図である。
【図１】
2005010865.tif 000003
【図２】
2005010865.tif 000004
【図３】
2005010865.tif 000005
【図４】
2005010865.tif 000006
【図５】
2005010865.tif 000007